(57)【特許請求の範囲】
【請求項１】
家具本体（１０）の裏面に、脚（１２）の上部の被装着部（１２Ａ）を取り付ける装着部を設け、該装着部の近くに回転操作部（ＫＳ）を設け、該回転操作部と前記装着部との間には歯車列（Ｈ）を配設し、前記回転操作部を回転させることによって前記歯車列を駆動して脚を着脱可能に取り付ける構造において、
前記被装着部はその外周に部分的に設けられた１個以上の突出部（１２ＡＴ）を有し、
前記装着部には上下移動部材（１４）が配設されており、該上下移動部材は、前記被装着部を受け入れる受入孔（１４Ｈ）を有すると共に、該受入孔に挿入された状態の被装着部を円形ガイド（１４Ｇ，１４Ｇ’）に沿って所定の正方向（Ａ）に回動させた場合に所定位置でその回動を規制する回動規制部（１４Ｋ）を設けており、この規制位置において前記突出部の下側に位置する受け部（１４Ｕ）を設けており、
前記円形ガイドの中心（Ｃ２）を軸心として回転でき、前記歯車列に属する装着部歯車（Ｈ２）の中央孔に雌ネジ（ＮＡ）が設けられており、
前記上下移動部材は、その外周に雄ネジ（ＮＢ）を設けていて前記雌ネジと螺合していると共に、装着部に設けた非円形部（２２Ｈ）との係合によって回転不能に規制されており、
前記受け部の上面（１４ＵＳ）は前記正方向に進むに従って下方に下がる傾斜面であり、
前記突出部の下面（１２ＡＴＳ）は前記正方向に進むに従って下方に下がる傾斜面である
ことを特徴とする家具における脚の取付構造。
【発明の詳細な説明】
【技術分野】
【０００１】
本発明は、テーブルやデスク等の家具の脚の着脱可能な取付構造に関する。
【背景技術】
【０００２】
脚の取り付け作業が簡単で確実になること、及び製造性を向上させることを目的として、下記特許文献１には脚の取付け装置が開示されている。然しながら、脚先端部のボルト部をテーブル等の裏面のナット部に挿入する際、一般に脚は長くて大きいため、ボルトだけを挿入する場合と異なり、ナットの軸心に対して傾き易い。少し傾いた状態では、ボルト部とナットの螺合のきっかけができず、なかなか螺合し合わないことがある。更には、ある程度螺合が進行するまで、脚を支えている必要もある。こうした脚先端部の挿入時の作業を容易にすることに役立つ挿入係合構造が下記特許文献２に開示されている。これは、ロック金具４の係合片４１の下面４１ａが、被係合部５２の上面５２ａの傾斜を登って行って係合する。即ち、部分的なネジの螺合係合により取り付ける構造である。
【特許文献１】特開２００１−１４０８２４号公報
【特許文献２】特開平８−１３１２６４号公報
【発明の開示】
【発明が解決しようとする課題】
【０００３】
しかし、上記文献２の構造では、天板等を揺すった際、ネジ螺合係合故、被係合部の上面の傾斜によって、ロック金具が緩む方向に戻され、脚が緩み易いという問題がある。
従って、本発明の課題は、脚先端部の挿入時の作業を容易にすると共に、取り付け後に脚が緩み難い脚の取付構造の提供である。
【課題を解決するための手段】
【０００４】
第１の発明では、家具本体の裏面に、脚の上部の被装着部を取り付ける装着部を設け、該装着部の近くに回転操作部を設け、該回転操作部と前記装着部との間には歯車列を配設し、前記回転操作部を回転させることによって前記歯車列を駆動して脚を着脱可能に取り付ける構造において、前記被装着部はその外周に部分的に設けられた１個以上の突出部を有し、前記装着部には上下移動部材が配設されており、該上下移動部材は、前記被装着部を受け入れる受入孔を有すると共に、該受入孔に挿入された状態の被装着部を円形ガイドに沿って所定の正方向に回動させた場合に所定位置でその回動を規制する回動規制部を設けており、この規制位置において前記突出部の下側に位置する受け部を設けており、前記円形ガイドの中心を軸心として回転でき、前記歯車列に属する装着部歯車の中央孔に雌ネジが設けられており、前記上下移動部材は、その外周に雄ネジを設けていて前記雌ネジと螺合していると共に、装着部に設けた非円形部との係合によって回転不能に規制されており、前記受け部の上面は前記正方向に進むに従って下方に下がる傾斜面であり、前記突出部の下面は前記正方向に進むに従って下方に下がる傾斜面であることを特徴とする家具における脚の取付構造を提供する。
【発明の効果】
【０００５】
第１の発明では、脚上部の被装着部を、家具裏面の装着部における上下移動部材に設けた受入孔に挿入し、それから円形ガイドに沿って正方向に回動させて回動規制部に当接させて回動を停止させる。この位置では、上下移動部材に設けた突出部の下側に受け部が位置しているため、脚上部の被装着部は不用意には抜け出ない。従って、脚先端部の挿入時の作業としては、挿入と単純な回動であり、容易である。次に、回転操作部を操作して歯車列を回転させれば装置部歯車を回転させることができる。この装置部歯車は、その中央孔に設けた雌ネジによって上下移動部材外周の雄ネジと螺合している。また、該上下移動部材は非円形部との係合によって回転不能であるため、結局、上下移動部材は装置部歯車の回転駆動によって上下方向にのみ駆動される。従って、作業者が回転操作部を、上下移動部材が上方に移動する方向に回転操作すれば、脚は、上下移動部材の受け部に押し上げられる突出部と共に上昇する。こうして脚上部を家具の裏面に押し当てて取り付けることができる。
【０００６】
ここで、この受け部と突出部とは、受け部の上面が正方向（回動規制部に向かう方向）に進むに従って下方に下がる傾斜面であり、突出部の下面が同じ正方向に進むに従って下方に下がる傾斜面であるため、何等かの原因で脚が緩もうとする場合、即ち、正方向とは逆の負の方向に脚が回動させられようとする場合に、突出部下面の傾斜面が受け部上面の傾斜面に干渉して押し戻されるので、緩みが防止される。更には、上述の操作によって上下移動部材を上昇させて脚の被装着部を引き上げて脚を取り付ける際に、上下移動部材の上昇には受け部の上昇が伴い、この受け部上昇により、その上面の傾斜面が被装着部の突出部下面を押し上げるが、この下面は既述の傾斜面であり、両傾斜面の相互作用によって、自動的に突出部を正方向に回動させて引き込む作用が働く。従って、脚をより強固に取り付けることができる。
【発明を実施するための最良の形態】
【０００７】
図１は、本発明に係る家具としてのテーブルの天板１０への脚１２の取付構造部の天板の下側から見た裏面図であり、図２はその矢視線Ｂ−Ｂによる拡大断面図である。天板裏面の所定位置には矩形状の浅い収容体２０が埋設されており、その開口部には矩形状の厚肉の板部材２２を被せ、その四隅を天板裏面にネジ止めして内部の収容部品を保持している。図１の左側部は脚の装着部であり、これに近接した右側部は回転操作部である。まず、装着部では、板部材２２には非円形孔２２Ｈが設けられている。即ち、円形の基本形状を、ここでは等角配置した３箇所の同一長さ直線（弦）でカットした形状である。一方、厚さ方向下部における外郭形状が、この孔２２Ｈに合致する上下移動部材１４を挿入係合させている。
【０００８】
上下移動部材１４の中央孔には中心軸線Ｃ２回りの環状（円形）のガイド面１４Ｇを形成しており、上下移動部材の厚さ方向下部には、この例では３箇所に等角度分散配置し、中心軸線Ｃ２の方向に突出した受け部１４Ｕを形成し、この受け部の領域は、下側から見ると、即ち、図１ではガイド面１４Ｇが隠れている。この各受け部の中心側縁１４Ｇ’を円弧形状としてガイド面としてもよい。この結果、上下移動部材１４の厚さ方向下部に形成された中央孔が受入孔１４Ｈである。また、各受け部１４Ｕの円周方向端部、ここでは図１の矢視線Ａ方向に進んだ末部において、上方（図１の紙面の裏側方向）に向かって適宜量突出した回動規制部１４Ｋを設けている。
【０００９】
一方、脚１０の上部には、先端部に被装着部１２Ａを有する金属部材が金属製の脚本体部に溶接接続されている。この被装着部は、それを上方から見ると、上記の受入孔１４Ｈの輪郭形状と同じであり、この受入孔に対応して挿入できる寸法に形成され、基本円柱の上部において径方向に突出し、等角度離散配置した３箇所の突出部１２ＡＴが設けられている。従って、天板１０を裏返しにして脚の上部を上下移動部材１４の受入孔１４Ｈに挿入させ、その後、ガイド面１４Ｇや１４Ｇ’にガイドさせつつ矢視線Ａの正方向に回動させると、回動規制部材１４Ｋに当接して停止させられる。この位置では、脚は不用意に抜け出ない。
【００１０】
前記中心軸線Ｃ２を軸心として回転可能に装着部歯車Ｈ２が前記収容体２０内に収容されており、一方、これに噛合する回転操作部側の歯車Ｈ１も収容されている。この回転操作部側の歯車Ｈ１は枢軸２０Ｊに軸支されて回転すると共に、ここではその中央孔の下方部には断面が正六角形の回転操作部ＫＳが設けられている。従って、この回転操作部ＫＳに六角レンチを差し込んで回転操作部側の歯車Ｈ１を回転駆動させることができる。ここでは歯車列Ｈとしては２個の歯車Ｈ１，Ｈ２であるが、この間に他の歯車を介在させることもできる。
【００１１】
前記装着部歯車Ｈ２は、その中央孔壁に雌ネジＮＡが形成されており、前記の上下移動部材１４の外周部には、この雌ネジと螺合する雄ネジＮＢが形成されている。従って、歯車Ｈ１が回転駆動されて歯車Ｈ２が回転させられると、前記螺合によって上下移動部材１４を駆動する。この上下移動部材はその厚さ方向下部が非円形孔２２Ｈに係合しているため回転はできない。また、歯車Ｈ２も上下動しない様に収容体２０内に収容されている。従って、上下移動部材は中心軸線Ｃ２に沿って上下動することになる。従って、回転操作部ＫＳを、所定方向に回転駆動操作して歯車Ｈ１，Ｈ２を回転駆動して上下移動部材１４を上方に駆動させると、その受け部１４Ｕが、脚の被装着部１２Ａの突出部１２ＡＴを押し上げる。これにより脚本体部の上端が天板１０（に装着した板部材２２）の裏面に押圧する。
【００１２】
図１に脚１２を装着した場合の矢視線Ｃ−Ｃによる断面図を図３に示す。但し、判り易くするために、図の上側が実際の天板等の部材の上方であり、図の下側を部材の下方となる向きに図示している。受け部１４Ｕの上面１４ＵＳは前記の正方向Ａに進むに従って下方に下がる傾斜面であり、被装着部１２Ａの突出部１２ＡＴの下面１２ＡＴＳは正方向Ａに進むに従って下方に下がる傾斜面である。このため、回転操作部の操作によって上下移動部材１４を上方に駆動した際に脚１２の被装着部１２Ａの突出部１２ＡＴは、共に押し上げられると共に、回動規制部１４Ｋの方向、即ち、正方向Ａに回動駆動される。従って、脚をより強固に装着できると共に、緩み難くできる。また、何らかの原因で、天板１０や脚１２が揺すられた場合に、脚が正方向Ａの逆方向に回動しようとしても、傾斜面同士の相互作用によって、正方向に押し戻される。従って、緩み難い。
【００１３】
また、分解時には、回転操作部を逆方向に回転させればよい。更には、各部品が収容体２０に収容されており、この収容体は歯車の厚さ程度の深さでよいため、薄くでき、天板等の家具の裏面部に埋め込め、家具裏面側の突出量を小さくできる。
以上説明した形態に限らず、回転操作部ＫＳの形態は任意であり、歯車Ｈ１を回転できればよい。また、非円形孔２２Ｈの形状も種々の形状が可能であり、受け部１４Ｕや突出部１２ＡＴの数も３個に限らない等、種々の変形形態が考えられる。
【産業上の利用可能性】
【００１４】
本発明は、テーブルや机等の家具に利用できる。
【図面の簡単な説明】
【００１５】
【図１】図１は本発明に係る家具例のテーブル天板の脚の取付構造部の裏面図である。
【図２】図２は図１の矢視線Ｂ−Ｂによる拡大断面図である。
【図３】図３は図１の矢視線Ｃ−Ｃによる断面を上下逆に図示した図である。
【符号の説明】
【００１６】
１０                    天板
１２                    脚
１２Ａ                  被装着部
１２ＡＴ                突出部
１２ＡＴＳ              突出部の下面
１４                    上下移動部材
１４Ｇ，１４Ｇ’        円形ガイド
１４Ｈ                  受入孔
１４Ｋ                  回動規制部
１４Ｕ                  受け部
１４ＵＳ                受け部の上面
２２                    板部材
２２Ｈ                  非円形孔（非円形部）
Ｈ２                    装着部歯車
ＫＳ                    回転操作部
ＮＡ                    装着部歯車中央孔の雌ネジ
ＮＢ                    上下移動部材の雄ネジ
【図１】
0004808035.tif 000002
【図２】
0004808035.tif 000003
【図３】
0004808035.tif 000004